(57)【要約】【課題】現在表示されているページの次に遷移され得るページを基準として順次に遷移され得るページを把握する。【解決手段】ページ識別情報を選択する選択部と、選択部により選択されたページ識別情報により識別されるページから順に遷移される１または複数のページを遷移順に識別するためのリストをサーバから取得する取得部と、取得部により取得されたリストにより識別される１または複数のページの各々に関する情報を表示するよう制御する表示制御部と、を備える、情報処理装置が提供される。情報処理装置は、ページ内のリンクに対する所定の操作を検出する検出部をさらに備え、選択部は、検出部により検出された所定の操作がなされたリンクにより指定されるページ識別情報を選択してもよい。【選択図】図１
2012221107.tif 000002
【特許請求の範囲】
【請求項１】
ページ識別情報を選択する選択部と、
前記選択部により選択された前記ページ識別情報により識別されるページから順に遷移される１または複数のページを遷移順に識別するためのリストをサーバから取得する取得部と、
前記取得部により取得された前記リストにより識別される前記１または複数のページの各々に関する情報を表示するよう制御する表示制御部と、
を備える、情報処理装置。
【請求項２】
前記情報処理装置は、
ページ内のリンクに対する所定の操作を検出する検出部をさらに備え、
前記選択部は、
前記検出部により検出された前記所定の操作がなされた前記リンクにより指定されるページ識別情報を選択する、
請求項１に記載の情報処理装置。
【請求項３】
前記取得部は、
前記１または複数のページの各々に関する統計情報を前記サーバからさらに取得し、
前記表示制御部は、
前記１または複数のページの各々に関する情報を前記１または複数のページの各々に関する統計情報に基づいた表示手法により表示するよう制御する、
請求項１に記載の情報処理装置。
【請求項４】
前記取得部は、
前記選択部により選択された前記ページから順に遷移される１または複数のページを遷移順に識別するためのリストとして複数の経路が存在する場合、前記複数の経路の各々についての統計情報に基づいて選択された経路を前記リストとして取得する、
請求項１に記載の情報処理装置。
【請求項５】
前記表示制御部は、
前記取得部により取得された前記リストにより識別される前記１または複数のページの各々に関する情報を所定の規則に従って表示するよう制御する、
請求項１に記載の情報処理装置。
【請求項６】
前記表示制御部は、
前記取得部により取得された前記リストにより識別される前記１または複数のページの各々に関する情報を扇状に並べて表示するよう制御する、
請求項５に記載の情報処理装置。
【請求項７】
前記表示制御部は、
前記取得部により取得された前記リストにより識別される前記１または複数のページの各々に関する情報を直線上に並べて表示するよう制御する、
請求項５に記載の情報処理装置。
【請求項８】
前記表示制御部は、
前記取得部により取得された前記リストにより識別される前記１または複数のページの各々に関する情報を三次元表現により表示するよう制御する、
請求項５に記載の情報処理装置。
【請求項９】
前記情報処理装置は、
前記取得部により取得された前記リストにより識別される前記１または複数のページから表示対象のページを決定する決定部をさらに備え、
前記表示制御部は、
前記決定部により決定された前記表示対象のページを表示するよう制御する、
請求項１に記載の情報処理装置。
【請求項１０】
ページ識別情報を選択することと、
選択された前記ページ識別情報により識別されるページから順に遷移される１または複数のページを遷移順に識別するためのリストをサーバから取得することと、
前記リストにより識別される前記１または複数のページの各々に関する情報を表示するよう制御することと、
を含む、情報処理方法。
【請求項１１】
コンピュータを、
ページ識別情報を選択する選択部と、
前記選択部により選択された前記ページ識別情報により識別されるページから順に遷移される１または複数のページを遷移順に識別するためのリストをサーバから取得する取得部と、
前記取得部により取得された前記リストにより識別される前記１または複数のページの各々に関する情報を表示するよう制御する表示制御部と、
を備える、情報処理装置として機能させるためのプログラム。
【請求項１２】
情報処理装置により選択されたページ識別情報を前記情報処理装置から取得する取得部と、
前記取得部により取得された前記ページ識別情報により識別されるページから順に遷移される１または複数のページを遷移順に識別するためのリストを検索する検索部と、
前記検索部により検索された前記リストを前記情報処理装置に通知する通知部と、
を備える、サーバ。
【請求項１３】
情報処理装置により選択されたページ識別情報を前記情報処理装置から取得することと、
取得された前記ページ識別情報により識別されるページから順に遷移される１または複数のページを遷移順に識別するためのリストを検索することと、
検索された前記リストを前記情報処理装置に通知することと、
を含む、情報処理方法。
【請求項１４】
コンピュータを、
情報処理装置により選択されたページ識別情報を前記情報処理装置から取得する取得部と、
前記取得部により取得された前記ページ識別情報により識別されるページから順に遷移される１または複数のページを遷移順に識別するためのリストを検索する検索部と、
前記検索部により検索された前記リストを前記情報処理装置に通知する通知部と、
を備える、サーバとして機能させるためのプログラム。
【請求項１５】
サーバと、情報処理装置と、を有する情報処理システムであって、
前記サーバは、
選択されたページ識別情報を前記情報処理装置から取得する取得部と、
前記取得部により取得された前記ページ識別情報により識別されるページから順に遷移される１または複数のページを遷移順に識別するためのリストを検索する検索部と、
前記検索部により検索された前記リストを前記情報処理装置に通知する通知部と、
を備え、
前記情報処理装置は、
前記リストを前記サーバから取得する取得部と、
前記取得部により取得された前記リストにより識別される前記１または複数のページの各々に関する情報を表示するよう制御する表示制御部と、
を備える、情報処理システム。
【発明の詳細な説明】
【技術分野】
【０００１】
本開示は、情報処理装置、情報処理方法、プログラム、サーバおよび情報処理システムに関する。
【背景技術】
【０００２】
近年、インターネットの普及とともに、ユーザは、自身のＰＣ（Ｐｅｒｓｏｎａｌ  Ｃｏｍｐｕｔｅｒ）などを利用して、所望する情報が記載されたページをインターネット上において気軽に検索することが可能となった。また、ユーザは、検索により取得されたページを閲覧しながら閲覧対象のページを切り替えたいと考えた場合には、遷移先のページを検索させるための操作を行い、検索により取得された遷移先のページを閲覧することができる。ユーザが所望するページをインターネット上において検索する技術としては様々な技術が開示されている（例えば、特許文献１参照）。
【０００３】
かかる技術において、ユーザは、閲覧しているページ内に存在するリンクを確認することにより、現在表示されているページの次に遷移され得るページを把握することが可能である。リンクは、ページ内に存在する文字列や画像などの各種情報に対して貼られることが一般的であり、例えば、ユーザは、リンクが貼られている文字列を選択する操作を行うことにより、その文字列に関連するページを閲覧対象とすることができる。
【先行技術文献】
【特許文献】
【０００４】
【特許文献１】特開２００７−２１９６１５号公報
【発明の概要】
【発明が解決しようとする課題】
【０００５】
しかし、現在表示されているページの次に遷移され得るページを基準として順次に遷移され得るページを把握する手法については開示されていない。そこで、現在表示されているページの次に遷移され得るページを基準として順次に遷移され得るページを把握する手法が求められる。
【課題を解決するための手段】
【０００６】
本開示によれば、ページ識別情報を選択する選択部と、前記選択部により選択された前記ページ識別情報により識別されるページから順に遷移される１または複数のページを遷移順に識別するためのリストをサーバから取得する取得部と、前記取得部により取得された前記リストにより識別される前記１または複数のページの各々に関する情報を表示するよう制御する表示制御部と、を備える、情報処理装置が提供される。
【０００７】
また、本開示によれば、情報処理装置により選択されたページ識別情報を前記情報処理装置から取得する取得部と、前記取得部により取得された前記ページ識別情報により識別されるページから順に遷移される１または複数のページを遷移順に識別するためのリストを検索する検索部と、前記検索部により検索された前記リストを前記情報処理装置に通知する通知部と、を備える、サーバが提供される。
【０００８】
また、本開示によれば、サーバと、情報処理装置と、を有する情報処理システムであって、前記サーバは、選択されたページ識別情報を前記情報処理装置から取得する取得部と、前記取得部により取得された前記ページ識別情報により識別されるページから順に遷移される１または複数のページを遷移順に識別するためのリストを検索する検索部と、前記検索部により検索された前記リストを前記情報処理装置に通知する通知部と、を備え、前記情報処理装置は、前記リストを前記サーバから取得する取得部と、前記取得部により取得された前記リストにより識別される前記１または複数のページの各々に関する情報を表示するよう制御する表示制御部と、を備える、情報処理システムが提供される。
【発明の効果】
【０００９】
以上説明したように本開示によれば、現在表示されているページの次に遷移され得るページを基準として順次に遷移され得るページを把握することが可能である。
【図面の簡単な説明】
【００１０】
【図１】本開示の実施形態に係る情報処理システムの構成を示す図である。
【図２】同実施形態に係る第１の端末の機能構成を示すブロック図である。
【図３】同実施形態に係る第１の端末による画面遷移履歴の例を示す図である。
【図４】同実施形態に係るサーバの機能構成を示すブロック図である。
【図５】同実施形態に係るサーバにより管理されるリストおよび統計情報の構成例を示す図である。
【図６】同実施形態に係る第２の端末の機能構成を示すブロック図である。
【図７】同実施形態に係る第２の端末により表示される画面例を示す図である。
【図８】同実施形態に係る第２の端末により表示される画面例を示す図である。
【図９】同実施形態に係る第２の端末により表示される画面例を示す図である。
【図１０】同実施形態に係る第２の端末により表示される画面例を示す図である。
【図１１】同実施形態に係る情報処理システムによる動作を示すフローチャートである。
【図１２】同実施形態に係る情報処理装置のハードウェア構成を示すブロック図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて端末１００Ａおよび１００Ｂのように区別する。ただし、実質的に同一の機能構成を有する複数の構成要素の各々を特に区別する必要がない場合、同一符号のみを付する。例えば、端末１００Ａおよび１００Ｂを特に区別する必要が無い場合には、単に端末１００と称する。
【００１３】
なお、説明は以下の順序で行うものとする。
１．実施形態
１．１．情報処理システムの構成
１．２．第１の端末の機能
１．３．サーバの機能
１．４．第２の端末の機能
１．５．情報処理システムの動作
１．６．情報処理装置のハードウェア構成
２．むすび
【００１４】
＜１．実施形態＞
［１．１．情報処理システムの構成］
まず、図１を参照して、本開示の実施形態に係る情報処理システムの構成について説明する。図１に示したように、本開示の実施形態に係る情報処理システム１０は、端末１００Ａおよび１００Ｂと、サーバ２００とを有している。端末１００Ａおよび１００Ｂと、サーバ２００とは、ネットワーク４００を介して通信を行うことが可能である。なお、端末１００およびサーバ２００の各々の数は特に限定されるべきものではない。
【００１５】
端末１００Ａは、例えば、ユーザＡにより使用される端末である。端末１００Ａは、ネットワーク４００に接続されている装置（例えば、Ｗｅｂサーバ）からページを取得する。また、端末１００Ａは、ユーザＡによる操作などにより新たなページを取得することができる。端末１００Ａによりなされたページ遷移に関する情報は、サーバ２００に送信されて、サーバ２００により統計情報の算出のために使用され得る。
【００１６】
ページは、例えば、ＨＴＭＬ（ＨｙｐｅｒＴｅｘｔ  Ｍａｒｋｕｐ  Ｌａｎｇｕａｇｅ）形式により記述された文書であってもよいし、テキストデータであってもよい。ネットワーク４００としてインターネットが使用される場合には、ページとしては、例えば、Ｗｅｂページが使用され得る。また、ページを識別するためのページ識別情報としては、例えば、ページのＵＲＬ（Ｕｎｉｆｏｒｍ  Ｒｅｓｏｕｒｃｅ  Ｌｏｃａｔｏｒ）を使用することができる。
【００１７】
サーバ２００は、端末１００Ａから送信されたページ遷移に関する情報を管理することが可能なサーバである。ページ遷移に関する情報は、サーバ２００により統計情報の算出に使用され得る。また、サーバ２００は、端末１００Ｂから送信されたページ識別情報により識別されるページから順に遷移される１または複数のページを遷移順に識別するためのリストを検索する。サーバ２００は、検索により取得したリストを端末１００Ｂに通知する。
【００１８】
端末１００Ｂは、例えば、ユーザＢにより使用される端末である。端末１００Ｂは、ページ識別情報を選択し、選択したページ識別情報により識別されるページから順に遷移される１または複数のページを遷移順に識別するためのリストをサーバ２００から取得する。端末１００Ｂは、取得したリストにより識別される１または複数のページの各々に関する情報を表示するよう制御する。ここでは、ユーザＡとユーザＢとが異なるユーザであることを想定して説明するが、ユーザＡとユーザＢとは同一のユーザであってもよい。
【００１９】
［１．２．第１の端末の機能］
次に、図２および図３を参照して、本開示の実施形態に係る端末１００Ａが有する機能について説明する。図２は、本開示の実施形態に係る端末１００Ａの機能構成を示すブロック図である。図２に示すように、端末１００Ａは、入力部１１０Ａと、制御部１２０Ａと、記憶部１３０Ａと、表示部１４０Ａと、通信部１５０Ａと、を備えている。
【００２０】
入力部１１０Ａは、ユーザＡから操作情報の入力を受け付ける機能を有する。入力部１１０Ａは、ユーザＡからの入力を受け付けた操作情報を制御部１２０Ａに対して出力する。入力部１１０Ａは、例えば、入力装置により構成される。表示部１４０Ａは、制御部１２０Ａによる制御に基づいて、各種情報を表示する機能を有する。表示部１４０Ａは、例えば、表示装置により構成される。
【００２１】
通信部１５０Ａは、制御部１２０Ａによる制御に基づいて、サーバ２００と通信を行う機能を有する。通信部１５０Ａは、例えば、通信装置により構成され、送信部および受信部として機能し得る。記憶部１３０Ａは、制御部１２０Ａにより使用される各種情報を記憶する機能を有する。記憶部１３０Ａは、例えば、ストレージ装置により構成される。
【００２２】
制御部１２０Ａは、端末１００Ａの動作全体を制御する機能を有しており、例えば、入力部１１０Ａから出力された操作情報、通信部１５０Ａにより受信された情報などに基づいて端末１００Ａの動作を制御することが可能である。制御部１２０Ａは、ページ取得部１２１１、ページ遷移部１２１２、表示制御部１２１３、送信制御部１２１４などを備えている。これらの各機能ブロックが有する機能については、後に詳細に説明する。なお、制御部１２０Ａは、例えば、ＣＰＵ、ＲＯＭ、ＲＡＭにより構成される。
【００２３】
図３は、本開示の実施形態に係る端末１００Ａによる画面遷移履歴の例を示す図である。ページ取得部１２１１は、ネットワーク４００に接続されている装置（例えば、Ｗｅｂサーバ）からページを取得する。例えば、ページ取得部１２１１は、ページＡ２０を取得したとする。このとき、表示制御部１２１３は、ページ取得部１２１１により取得されたページを表示するよう表示部１４０Ａを制御することができる。
【００２４】
また、図３に示すように、ページＡ２０は、ページ識別情報（例えば、ＵＲＬ）が「Ａ２０．ｈｔｍｌ」であり、滞在時間が「２秒」であり、遷移元のページを識別するための情報（例えば、ＵＲＬ）が「Ａ１０．ｈｔｍｌ」であるとする。滞在時間は、例えば、ページ取得部１２１１によりページ「Ａ２０」が取得されてから入力部１１０Ａにより画面遷移を示す操作情報の入力が受け付けられるまでの時間に相当する。
【００２５】
ページ遷移部１２１２は、入力部１１０Ａによりページ遷移する旨を示す操作情報の入力がユーザＡから受け付けられると、指定された遷移先のページを取得し、取得した遷移先のページに遷移する。図３に示したように、例えば、遷移先のページを識別するための情報（例えば、ＵＲＬ）が「Ａ３０．ｈｔｍｌ」であるとする。このとき、表示制御部１２１３は、ページ遷移部１２１２により遷移された後のページを表示するよう表示部１４０Ａを制御することができる。送信制御部１２１４は、これらのページ遷移に関する情報（ページ識別情報、滞在時間、遷移元ページ識別情報、遷移先ページ識別情報など）をサーバ２００に送信するよう通信部１５０Ａを制御することができる。
【００２６】
なお、送信制御部１２１４は、ページ遷移に関する情報を、所定時間ごとにサーバ２００に送信するよう通信部１５０Ａを制御してもよいし、記憶部１３０Ａに蓄積されたページ遷移に関する情報が所定量に達するまで待機し、記憶部１３０Ａに蓄積されたページ遷移に関する情報が所定量に達した場合にサーバ２００に送信するよう通信部１５０Ａを制御してもよい。
【００２７】
［１．３．サーバの機能］
次に、図４および図５を参照して、本開示の実施形態に係るサーバ２００が有する機能について説明する。図４は、本開示の実施形態に係るサーバ２００の機能構成を示すブロック図である。図４に示すように、サーバ２００は、制御部２２０と、通信部２５０と、記憶部２６０と、を備えている。
【００２８】
通信部２５０は、制御部２２０による制御に基づいて、端末１００Ａおよび１００Ｂと通信を行う機能を有する。通信部２５０は、例えば、通信装置により構成され、送信部および受信部として機能し得る。記憶部２６０は、制御部２２０により使用される各種情報を記憶する機能を有しており、例えば、端末１００Ｂから取得したページ識別情報により識別されるページから順に遷移される１または複数のページを遷移順に識別するためのリスト２６１や、統計情報２６２などを記憶する機能を有する。記憶部２６０は、例えば、ストレージ装置により構成される。
【００２９】
制御部２２０は、サーバ２００の動作全体を制御する機能を有しており、例えば、通信部２５０により受信された情報に基づいてサーバ２００の動作を制御することが可能である。制御部２２０は、情報取得部２２１、記憶制御部２２２、取得部２２３、検索部２２４、通知部２２５などを備えている。これらの各機能ブロックが有する機能については、後に詳細に説明する。なお、制御部２２０は、例えば、ＣＰＵ、ＲＯＭ、ＲＡＭにより構成される。
【００３０】
図５は、本開示の実施形態に係るサーバ２００により管理されるリスト２６１および統計情報２６２の構成例を示す図である。リスト２６１は、１または複数のノードにより構成されている。各ノードは、ページ識別情報（例えば、ＵＲＬ）、遷移先ページ識別情報を含んでおり、遷移元ページ識別情報を含んでいてもよい。各ノードには、統計情報２６２（例えば、平均滞在時間）が付加されていてもよい。平均滞在時間の代わりに、遷移回数が用いられてもよい。
【００３１】
情報取得部２２１は、端末１００Ａから通信部２５０により受信されたページ遷移に関する情報を取得する。記憶制御部２２２は、情報取得部２２１により取得されたページ遷移に関する情報（ページ識別情報、遷移先ページ識別情報、遷移元識別情報）がまだリスト２６１に登録されていない場合には、ページ遷移に関する情報（ページ識別情報、遷移先ページ識別情報、遷移元識別情報）をリスト２６１に登録する。この場合、記憶制御部２２２は、情報取得部２２１により取得された滞在時間を平均滞在時間に設定する。
【００３２】
記憶制御部２２２は、情報取得部２２１により取得されたページ遷移に関する情報（ページ識別情報、遷移先ページ識別情報、遷移元識別情報）が既にリスト２６１に登録されている場合には、ページ遷移に関する情報（ページ識別情報、遷移先ページ識別情報、遷移元識別情報）をリスト２６１に登録しなくてもよい。この場合、記憶制御部２２２は、情報取得部２２１により取得された滞在時間を含めて平均滞在時間を算出し直す。
【００３３】
取得部２２３は、端末１００Ｂにより選択されたページ識別情報（例えば、ＵＲＬ）を端末１００Ｂから取得する。検索部２２４は、取得部２２３により取得されたページ識別情報により識別されるページから順に遷移される１または複数のページを遷移順に識別するためのリストを検索する。例えば、端末１００Ｂにより選択されたページ識別情報が「Ａ００．ｈｔｍｌ」であったとする。その場合、図５に示すように、検索部２２４は、「Ａ１０．ｈｔｍｌ」「Ａ２０．ｈｔｍｌ」「Ａ３０．ｈｔｍｌ」「Ａ４０．ｈｔｍｌ」をリストとして取得することができる。
【００３４】
また、図５に示すように、検索部２２４は、「Ａ１０．ｈｔｍｌ」「Ａ５０．ｈｔｍｌ」「Ａ４０．ｈｔｍｌ」をリストとして取得することもできる。このように、該当するリストとして複数の経路が存在する場合も想定される。かかる場合、検索部２２４は、複数の経路をすべてリストとして取得してもよいし、複数の経路の各々についての統計情報（例えば、平均滞在時間）に基づいて選択された１の経路をリストとして取得してもよい。検索部２２４は、例えば、ダイクストラ法などのアルゴリズムを使用して、平均滞在時間あるいは遷移回数が最大となる経路を選択することができる。
【００３５】
通知部２２５は、検索部２２４により検索されたリスト２６１を端末１００Ｂに通知する。すなわち、通知部２２５は、検索部２２４により検索されたリスト２６１を端末１００Ｂに送信するよう通信部２５０を制御する。
【００３６】
［１．４．第２の端末の機能］
次に、図６〜図１０を参照して、本開示の実施形態に係る端末１００Ｂが有する機能について説明する。図６は、本開示の実施形態に係る端末１００Ｂの機能構成を示すブロック図である。図６に示すように、端末１００Ｂは、入力部１１０Ｂと、制御部１２０Ｂと、記憶部１３０Ｂと、表示部１４０Ｂと、通信部１５０Ｂと、を備えている。
【００３７】
入力部１１０Ｂは、ユーザＢから操作情報の入力を受け付ける機能を有する。入力部１１０Ｂは、ユーザＢからの入力を受け付けた操作情報を制御部１２０Ｂに対して出力する。入力部１１０Ｂは、例えば、入力装置により構成される。表示部１４０Ｂは、制御部１２０Ｂによる制御に基づいて、各種情報を表示する機能を有する。表示部１４０Ｂは、例えば、表示装置により構成される。
【００３８】
通信部１５０Ｂは、制御部１２０Ｂによる制御に基づいて、サーバ２００と通信を行う機能を有する。通信部１５０Ｂは、例えば、通信装置により構成され、送信部および受信部として機能し得る。記憶部１３０Ｂは、制御部１２０Ｂにより使用される各種情報を記憶する機能を有する。記憶部１３０Ｂは、例えば、ストレージ装置により構成される。
【００３９】
制御部１２０Ｂは、端末１００Ｂの動作全体を制御する機能を有しており、例えば、入力部１１０Ｂから出力された操作情報、通信部１５０Ｂにより受信された情報などに基づいて端末１００Ｂの動作を制御することが可能である。制御部１２０Ｂは、検出部１２１６、選択部１２１７、取得部１２１８、決定部１２１９、表示制御部１２２０などを備えている。これらの各機能ブロックが有する機能については、後に詳細に説明する。なお、制御部１２０Ａは、例えば、ＣＰＵ、ＲＯＭ、ＲＡＭにより構成される。
【００４０】
図７は、本開示の実施形態に係る端末１００Ｂにより表示される画面例を示す図である。図７に示したページ１４４０は、例えば、制御部１２０Ｂによる要求に従って検索されて取得されたページであり、表示制御部１２２０による制御により表示部１４０Ｂに表示される。ユーザＢは、例えば、ページ１４４０の中にリンク１４４１が存在する場合には、リンク１４４１に対する所定の操作を入力部１１０Ｂに入力する。ここで、所定の操作は、リンク１４４１を選択する動作を所定時間以上継続する操作（例えば、長押し）であってもよいし、リンク１４４１に指示子（例えば、マウスポインタ）を所定時間以上停滞させる操作であってもよい。
【００４１】
選択部１２１７は、ページ識別情報を選択する。より詳細には、選択部１２１７は、例えば、検出部１２１６により検出された所定の操作がなされたリンク１４４１により指定されるページ識別情報を選択する。取得部１２１８は、選択部１２１７により選択されたページ識別情報により識別されるページから順に遷移される１または複数のページを遷移順に識別するためのリストをサーバ２００から取得する。
【００４２】
図７に示した例においては、リンク１４４１により指定されるページ識別情報は「Ａ００．ｈｔｍｌ」である。この場合、図５に示した例では、取得部１２１８は、例えば、選択部１２１７により選択されたページ識別情報「Ａ００．ｈｔｍｌ」により識別されるページから順に遷移される１または複数のページを遷移順に識別するためのリスト「Ａ１０．ｈｔｍｌ」「Ａ２０．ｈｔｍｌ」「Ａ３０．ｈｔｍｌ」「Ａ４０．ｈｔｍｌ」をサーバ２００から取得する。
【００４３】
表示制御部１２２０は、取得部１２１８により取得されたリストにより識別される１または複数のページの各々に関する情報を表示するよう表示部１４０Ｂを制御する。表示制御部１２２０は、取得部１２１８により取得されたリスト「Ａ１０．ｈｔｍｌ」「Ａ２０．ｈｔｍｌ」「Ａ３０．ｈｔｍｌ」「Ａ４０．ｈｔｍｌ」が取得された場合には、これらにより識別されるページに関する情報１４４２Ａ〜１４４２Ｄを表示するよう表示部１４０Ｂを制御する。
【００４４】
表示制御部１２２０により１または複数のページの各々に関する情報の表示制御が開始されるタイミングは特に限定されるものではないが、取得部１２１８によりリスト全体が取得されてから１または複数のページの各々に関する情報の表示制御が一斉に開始されてもよいし、リストの一部しか取得されていない段階から１または複数のページの各々に関する情報の表示制御が開始されてもよい。ページに関する情報の各々は、図７に示すように、ページ識別情報の一部（「Ａ１０」「Ａ２０」「Ａ３０」「Ａ４０」など）であってもよいし、ページ識別情報全体であってもよいし、ページのスナップショット画像などであってもよい。
【００４５】
なお、取得部１２１８は、例えば、選択部１２１７により選択されたページ識別情報により識別されるページから順に遷移される１または複数のページを遷移順に識別するためのリストをサーバ２００から取得しない場合もある。例えば、該当するリストがサーバ２００に存在しない場合などが想定される。その場合には、表示制御部１２２０は、例えば、選択部１２１７により選択されたページ識別情報により識別されるページに関する情報を表示するよう表示部１４０Ｂを制御すればよい。
【００４６】
また、ページに関する情報の各々は、記憶部１３０Ｂにより記憶されていてもよいし、サーバ２００からリストとともに取得されてもよい。さらに、ページに関する情報の各々は、他の装置から取得されてもよい。取得部１２１８によるリストの取得が開始されるタイミングは、特に限定されるものではない。すなわち、取得部１２１８によるリストの取得は、ページ１４４０が取得された後に開始されてもよいし、選択部１２１７によりページ識別情報が選択された後に開始されてもよい。また、ページ１４４０が取得された後には、リストの先頭（上記した例では「Ａ１０．ｈｔｍｌ」）のみが取得され、選択部１２１７によりページ識別情報が選択された後にリストの残り（上記した例では「Ａ２０．ｈｔｍｌ」「Ａ３０．ｈｔｍｌ」「Ａ４０．ｈｔｍｌ」）が取得されてもよい。
【００４７】
表示制御部１２２０は、取得部１２１８により取得されたリストにより識別される１または複数のページの各々に関する情報を、ランダムに表示するよう表示部１４０Ｂを制御してもよいし、所定の規則に従って表示するよう表示部１４０Ｂを制御してもよい。１または複数のページの各々に関する情報は、例えば、検出部１２１６により検出された所定の操作がなされたリンク１４４１を基準として、リンク１４４１を隠さないような位置に表示されるように制御され得る。また、１または複数のページの各々に関する情報は、ページ１４４０の内部に表示されてもよいし、ページ１４４０の外部に表示されてもよい。
【００４８】
図７に示した例では、表示制御部１２２０は、ページに関する情報１４４２Ａ〜１４４２Ｄを扇状に並べて表示するよう表示部１４０Ｂを制御している。表示制御部１２２０は、例えば、検出部１２１６により検出された所定の操作がなされたリンク１４４１の大きさを判断して、このリンク１４４１の大きさが所定の大きさよりも小さい場合に、ページに関する情報１４４２Ａ〜１４４２Ｄを扇状に並べて表示するよう表示部１４０Ｂを制御してもよい。
【００４９】
図８は、本開示の実施形態に係る端末１００Ｂにより表示される画面例を示す図である。図７に示したページ１４４０と同様に、図８に示したページ１４４０は、例えば、制御部１２０Ｂによる要求に従って検索サーバ３００により検索されて取得されたページであり、表示制御部１２２０による制御により表示部１４０Ｂに表示される。選択部１２１７は、図７に示した場合と同様に、例えば、ページ識別情報を選択し、取得部１２１８は、選択部１２１７により選択されたページ識別情報により識別されるページから順に遷移される１または複数のページを遷移順に識別するためのリストをサーバ２００から取得する。
【００５０】
表示制御部１２２０は、取得部１２１８により取得されたリストにより識別される１または複数のページの各々に関する情報を表示するよう表示部１４０Ｂを制御する。図８に示した例では、表示制御部１２２０は、ページに関する情報１４４２Ａ〜１４４２Ｄを直線上に並べて表示するよう表示部１４０Ｂを制御している。表示制御部１２２０は、例えば、検出部１２１６により検出された所定の操作がなされたリンク１４４１の大きさを判断して、このリンク１４４１の大きさが所定の大きさよりも大きい場合に、ページに関する情報１４４２Ａ〜１４４２Ｄを直線上に並べて表示するよう表示部１４０Ｂを制御してもよい。
【００５１】
図９は、本開示の実施形態に係る端末１００Ｂにより表示される画面例を示す図である。図７に示したページ１４４０と同様に、図９に示したページ１４４０は、例えば、制御部１２０Ｂによる要求に従って検索サーバ３００により検索されて取得されたページであり、表示制御部１２２０による制御により表示部１４０Ｂに表示される。選択部１２１７は、図７に示した場合と同様に、例えば、ページ識別情報を選択し、取得部１２１８は、選択部１２１７により選択されたページ識別情報により識別されるページから順に遷移される１または複数のページを遷移順に識別するためのリストをサーバ２００から取得する。
【００５２】
表示制御部１２２０は、取得部１２１８により取得されたリストにより識別される１または複数のページの各々に関する情報を表示するよう表示部１４０Ｂを制御する。図９に示した例では、表示制御部１２２０は、ページに関する情報１４４２Ａ〜１４４２Ｄを三次元表現により表示するよう表示部１４０Ｂを制御している。
【００５３】
図１０は、本開示の実施形態に係る端末１００Ｂにより表示される画面例を示す図である。図７に示したページ１４４０と同様に、図１０に示したページ１４４０は、例えば、制御部１２０Ｂによる要求に従って検索サーバ３００により検索されて取得されたページであり、表示制御部１２２０による制御により表示部１４０Ｂに表示される。選択部１２１７は、図７に示した場合と同様に、例えば、ページ識別情報を選択し、取得部１２１８は、選択部１２１７により選択されたページ識別情報により識別されるページから順に遷移される１または複数のページを遷移順に識別するためのリストをサーバ２００から取得する。
【００５４】
表示制御部１２２０は、図７に示した場合と同様に、表示制御部１２２０は、ページに関する情報１４４２Ａ〜１４４２Ｄを扇状に並べて表示するよう表示部１４０Ｂを制御している。ここで、取得部１２１８は、１または複数のページの各々に関する統計情報をサーバ２００からさらに取得してもよい。そうすれば、表示制御部１２２０は、１または複数のページの各々に関する情報を１または複数のページの各々に関する統計情報に基づいた表示手法により表示するよう表示部１４０Ｂを制御することもできる。
【００５５】
表示制御部１２２０は、例えば、平均滞在時間、直帰率または遷移回数に応じた表示手法によりページに関する情報を表示するよう表示部１４０Ｂを制御することができる。表示制御部１２２０は、例えば、平均滞在時間、直帰率または遷移回数に応じてページに関する情報の透過率を変更してもよいし、ページに関する情報（またはページに関する情報の枠）の色を変更してもよい。図１０に示した例では、ページに関する情報１４４２Ｂおよび１４４２Ｄの枠の色が変更されている。
【００５６】
表示制御部１２２０は、例えば、平均滞在時間または遷移回数が大きいほど（または直帰率が小さいほど）ページに関する情報の透過率を小さくしてもよい。また、表示制御部１２２０は、例えば、平均滞在時間または遷移回数が最大のページに関する情報（または直帰率が最小のページに関する情報）の透過率を他のページに関する情報の透過率よりも小さくしてもよい。また、表示制御部１２２０は、平均滞在時間または遷移回数が最小のページに関する情報（または直帰率が最大のページに関する情報）の透過率を他のページに関する情報の透過率よりも大きくしてもよい。
【００５７】
表示制御部１２２０は、例えば、平均滞在時間、直帰率または遷移回数が大きいほどページに関する情報の輝度を高くしてもよい。また、表示制御部１２２０は、例えば、平均滞在時間または遷移回数が最大のページに関する情報（または直帰率が最小のページに関する情報）の輝度を他のページに関する情報の透過率よりも高くしてもよい。また、表示制御部１２２０は、平均滞在時間または遷移回数が最小のページに関する情報（または直帰率が最大のページに関する情報）の輝度を他のページに関する情報の輝度よりも低くしてもよい。
【００５８】
また、表示制御部１２２０は、例えば、平均滞在時間または遷移回数が所定値よりも小さい場合には（または直帰率が所定値よりも大きい場合には）、ページに関する情報を表示させないように制御してもよい。このようにすれば、平均滞在時間または遷移回数が所定値以上のページに関する情報（または直帰率が所定値以下のページに関する情報）に対してユーザを注目させることができる。なお、取得部１２１８による統計情報の取得が開始されるタイミングは、特に限定されるものではない。すなわち、取得部１２１８による統計情報の取得は、ページ１４４０が取得された後に開始されてもよいし、選択部１２１７によりページ識別情報が選択された後に開始されてもよい。
【００５９】
表示制御部１２２０は、入力部１１０Ｂにより指示子の移動を示す操作情報の入力が受け付けられたり、選択動作を所定時間以上継続する操作（例えば、長押し）の解除を示す操作情報の入力が受け付けられたりしても、ページに関する情報を所定時間表示し続けるよう制御してもよい。一方、表示制御部１２２０は、他のリンクを選択する操作情報の入力が入力部１１０Ｂにより受け付けられたり、検出部１２１６により所定の操作が他のリンクに対してなされたことが検出されたり、ページに関する情報が表示されているリンクから指示子が所定時間以上離れたり、アプリケーションが終了されたりした場合に、ページに関する情報の表示を消すよう制御してもよい。
【００６０】
図６に戻って説明を続ける。決定部１２１９は、取得部１２１８により取得されたリストにより識別される１または複数のページから表示対象のページを決定する。より詳細には、入力部１１０Ｂにより１または複数のページのいずれかを決定するための操作情報の入力がユーザＢから受け付けられると、決定部１２１９は、操作情報に基づいて表示対象のページを決定する。表示制御部１２２０は、決定部１２１９により決定された表示対象のページを表示するよう表示部１４０Ｂを制御する。
【００６１】
例えば、決定部１２１９によりページ識別情報「Ａ１０．ｈｔｍｌ」が決定された場合には、表示制御部１２２０は、ページ１４４０から「Ａ１０．ｈｔｍｌ」により識別されるページに遷移するよう制御する。ページ決定のための操作情報は、選択動作を所定時間以上継続する操作（例えば、長押し）により与えられてもよいし、選択操作（例えば、クリック）により与えられてもよいし、連続選択操作（例えば、ダブルクリック）により与えられてもよい。
【００６２】
［１．５．情報処理システムの動作］
次に、図１１を参照して、本開示の実施形態に係る情報処理システム１０の動作について説明する。図１１は、本開示の実施形態に係る情報処理システム１０による動作を示すフローチャートである。
【００６３】
図１１に示すように、端末１００Ｂの選択部１２１７は、ページ識別情報を選択する（ステップＳ１０１）。選択部１２１７は、例えば、検出部１２１６により検出された所定の操作がなされたリンクにより指定されるページ識別情報を選択する。取得部１２１８は、選択部１２１７により選択されたページ識別情報を含むリスト取得要求を生成し（ステップＳ１０２）、生成したリスト生成要求をサーバ２００に送信するよう通信部１５０Ｂを制御する（ステップＳ１０３）。サーバ２００の通信部２５０は、端末１００Ｂからリスト取得要求を受信する（ステップＳ１０４）。
【００６４】
サーバ２００の取得部２２３は、通信部２５０により受信されたリスト取得要求に含まれるページ識別情報を取得する（ステップＳ１０５）。検索部２２４は、取得部２２３により取得されたページ識別情報に応じたリストを検索し（ステップＳ１０６）、通知部２２５は、検索部２２４により検索されたリストを送信するよう通信部２５０を制御し、通信部２５０は、通知部２２５による制御に基づいて、リストを送信する（ステップＳ１０７）。
【００６５】
端末１００Ｂの通信部１５０Ｂは、リストを受信し（ステップＳ１０８）、取得部１２１８は、通信部１５０Ｂにより受信されたリストを取得する。表示制御部１２２０は、取得部１２１８により取得されたリストにより識別される各ページに関する情報を表示するよう表示部１４０Ｂを制御する。表示部１４０Ｂは、表示制御部１２２０による制御に従って、取得部１２１８により取得されたリストにより識別される各ページに関する情報を表示する（ステップＳ１０９）。
【００６６】
［１．６．情報処理装置のハードウェア構成］
次に、図１２を参照して、本開示の実施形態に係る情報処理装置のハードウェア構成について説明する。図１２は、本開示の実施形態に係る情報処理装置のハードウェア構成を示すブロック図である。
【００６７】
上記した例では、端末１００、サーバ２００が情報処理装置に相当する。これらの情報処理装置は、主に、ＣＰＵ９０１と、ＲＯＭ９０２と、ＲＡＭ９０３と、ホストバス９０４と、ブリッジ９０５と、外部バス９０６と、インタフェース９０７と、入力装置９０８と、出力装置９１０と、ストレージ装置９１１と、ドライブ９１２と、通信装置９１３とを備える。
【００６８】
ＣＰＵ９０１は、演算処理装置および制御装置として機能し、ＲＯＭ９０２、ＲＡＭ９０３、ストレージ装置９１１、またはリムーバブル記録媒体８００に記録された各種プログラムに従って、情報処理装置内の動作全般またはその一部を制御する。ＲＯＭ９０２は、ＣＰＵ９０１が使用するプログラムや演算パラメータ等を記憶する。ＲＡＭ９０３は、ＣＰＵ９０１の実行において使用するプログラムや、その実行において適宜変化するパラメータ等を一時記憶する。これらはＣＰＵバス等の内部バスにより構成されるホストバス９０４により相互に接続されている。
【００６９】
ホストバス９０４は、ブリッジ９０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９０６に接続されている。
【００７０】
入力装置９０８は、例えば、マウス、キーボード、タッチパネル、ボタン、スイッチおよびレバーなどユーザが操作する操作手段である。また、入力装置９０８は、例えば、赤外線やその他の電波を利用したリモートコントロール手段であってもよいし、情報処理装置の操作に対応した携帯電話やＰＤＡ等の外部接続機器であってもよい。さらに、入力装置９０８は、例えば、上記の操作手段を用いてユーザにより入力された情報に基づいて入力信号を生成し、ＣＰＵ９０１に出力する入力制御回路などから構成されている。情報処理装置のユーザは、この入力装置９０８を操作することにより、情報処理装置に対して各種のデータを入力したり処理動作を指示したりすることができる。
【００７１】
出力装置９１０は、例えば、ＣＲＴディスプレイ装置、液晶ディスプレイ装置、プラズマディスプレイ装置、ＥＬディスプレイ装置およびランプなどの表示装置や、スピーカおよびヘッドホンなどの音声出力装置や、プリンタ装置、携帯電話、ファクシミリなど、取得した情報をユーザに対して視覚的または聴覚的に通知することが可能な装置で構成される。出力装置９１０は、例えば、情報処理装置が行った各種処理により得られた結果を出力する。具体的には、表示装置は、情報処理装置が行った各種処理により得られた結果を、テキストまたはイメージで表示する。他方、音声出力装置は、再生された音声データや音響データ等からなるオーディオ信号をアナログ信号に変換して出力する。
【００７２】
ストレージ装置９１１は、情報処理装置の記憶部の一例として構成されたデータ格納用の装置であり、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。このストレージ装置９１１は、ＣＰＵ９０１が実行するプログラムや各種データ、および外部から取得した音響信号データや画像信号データなどを格納する。
【００７３】
ドライブ９１２は、記録媒体用リーダライタであり、情報処理装置に内蔵、あるいは外付けされる。ドライブ９１２は、装着されている磁気ディスク、光ディスク、光磁気ディスク、または半導体メモリ等のリムーバブル記録媒体８００に記録されている情報を読み出して、ＲＡＭ９０３に出力する。また、ドライブ９１２は、装着されている磁気ディスク、光ディスク、光磁気ディスク、または半導体メモリ等のリムーバブル記録媒体８００に記録を書き込むことも可能である。リムーバブル記録媒体８００は、例えば、ＤＶＤメディア、ＨＤ−ＤＶＤメディア、Ｂｌｕ−ｒａｙメディア、コンパクトフラッシュ（登録商標）（ＣｏｍｐａｃｔＦｌａｓｈ：ＣＦ）、メモリースティック、または、ＳＤメモリカード（Ｓｅｃｕｒｅ  Ｄｉｇｉｔａｌ  ｍｅｍｏｒｙ  ｃａｒｄ）等である。また、リムーバブル記録媒体８００は、例えば、非接触型ＩＣチップを搭載したＩＣカード（Ｉｎｔｅｇｒａｔｅｄ  Ｃｉｒｃｕｉｔ  ｃａｒｄ）または電子機器等であってもよい。
【００７４】
通信装置９１３は、例えば、ネットワーク４００に接続するための通信デバイス等で構成された通信インタフェースである。通信装置９１３は、例えば、有線または無線ＬＡＮ（Ｌｏｃａｌ  Ａｒｅａ  Ｎｅｔｗｏｒｋ）、Ｂｌｕｅｔｏｏｔｈ、またはＷＵＳＢ（Ｗｉｒｅｌｅｓｓ  ＵＳＢ）用の通信カード、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、または、各種通信用のモデム等である。この通信装置９１３は、例えば、インターネットや他の通信機器との間で音響信号等を送受信することができる。また、通信装置９１３に接続されるネットワーク４００は、有線または無線によって接続されたネットワーク等により構成され、例えば、インターネット、家庭内ＬＡＮ、赤外線通信、ラジオ波通信または衛星通信等であってもよい。
【００７５】
以上、本開示の実施形態に係る情報処理装置の機能を実現可能なハードウェア構成の一例を示した。上記の各構成要素は、汎用的な部材を用いて構成されていてもよいし、各構成要素の機能に特化したハードウェアにより構成されていてもよい。従って、本開示の実施形態を実施する時々の技術レベルに応じて、適宜、利用するハードウェア構成を変更することが可能である。
【００７６】
＜２．むすび＞
以上説明したように、本開示の実施形態によれば、端末１００Ｂは、選択したページ識別情報により識別されるページから順に遷移される１または複数のページを遷移順に識別するためのリストをサーバから取得する。そして、端末１００Ｂは、取得したリストにより識別される１または複数のページの各々に関する情報を表示するよう制御する。したがって、現在表示されているページの次に遷移され得るページを基準として順次に遷移され得るページを把握することが可能である。
【００７７】
本開示の実施形態によれば、例えば、Ｗｅｂサイト全体を俯瞰して把握することが可能となる。また、例えば、ユーザは、情報量の多いＷｅｂページなどを閲覧している場合であっても、所望の情報が記載されたページに辿り着くことが容易になる。また、リンクが適切に設定されていないＷｅｂページから遷移する場合であっても、所望の情報が記載されたページに辿り着くことが容易になる。
【００７８】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００７９】
例えば、本明細書の情報処理装置が実行する処理における各ステップは、必ずしもフローチャートとして記載された順序に沿って時系列に処理する必要はない。例えば、情報処理装置が実行する処理における各ステップは、フローチャートとして記載した順序と異なる順序で処理されても、並列的に処理されてもよい。
【００８０】
また、情報処理装置に内蔵されるＣＰＵ９０１、ＲＯＭ９０２およびＲＡＭ９０３などのハードウェアを、上述した情報処理装置の各構成と同等の機能を発揮させるためのコンピュータプログラムも作成可能である。また、該コンピュータプログラムを記憶させた記憶媒体も提供される。
【００８１】
なお、本技術は以下のような構成も取ることができる。
（１）
ページ識別情報を選択する選択部と、
前記選択部により選択された前記ページ識別情報により識別されるページから順に遷移される１または複数のページを遷移順に識別するためのリストをサーバから取得する取得部と、
前記取得部により取得された前記リストにより識別される前記１または複数のページの各々に関する情報を表示するよう制御する表示制御部と、
を備える、情報処理装置。
（２）
前記情報処理装置は、
ページ内のリンクに対する所定の操作を検出する検出部をさらに備え、
前記選択部は、
前記検出部により検出された前記所定の操作がなされた前記リンクにより指定されるページ識別情報を選択する、
（１）に記載の情報処理装置。
（３）
前記取得部は、
前記１または複数のページの各々に関する統計情報を前記サーバからさらに取得し、
前記表示制御部は、
前記１または複数のページの各々に関する情報を前記１または複数のページの各々に関する統計情報に基づいた表示手法により表示するよう制御する、
（１）または（２）に記載の情報処理装置。
（４）
前記取得部は、
前記選択部により選択された前記ページから順に遷移される１または複数のページを遷移順に識別するためのリストとして複数の経路が存在する場合、前記複数の経路の各々についての統計情報に基づいて選択された経路を前記リストとして取得する、
（１）から（３）のいずれか一項に記載の情報処理装置。
（５）
前記表示制御部は、
前記取得部により取得された前記リストにより識別される前記１または複数のページの各々に関する情報を所定の規則に従って表示するよう制御する、
（１）から（４）のいずれか一項に記載の情報処理装置。
（６）
前記表示制御部は、
前記取得部により取得された前記リストにより識別される前記１または複数のページの各々に関する情報を扇状に並べて表示するよう制御する、
（５）に記載の情報処理装置。
（７）
前記表示制御部は、
前記取得部により取得された前記リストにより識別される前記１または複数のページの各々に関する情報を直線上に並べて表示するよう制御する、
（５）に記載の情報処理装置。
（８）
前記表示制御部は、
前記取得部により取得された前記リストにより識別される前記１または複数のページの各々に関する情報を三次元表現により表示するよう制御する、
（５）に記載の情報処理装置。
（９）
前記情報処理装置は、
前記取得部により取得された前記リストにより識別される前記１または複数のページから表示対象のページを決定する決定部をさらに備え、
前記表示制御部は、
前記決定部により決定された前記表示対象のページを表示するよう制御する、
（１）から（８）のいずれか一項に記載の情報処理装置。
（１０）
ページ識別情報を選択することと、
選択された前記ページ識別情報により識別されるページから順に遷移される１または複数のページを遷移順に識別するためのリストをサーバから取得することと、
前記リストにより識別される前記１または複数のページの各々に関する情報を表示するよう制御することと、
を含む、情報処理方法。
（１１）
コンピュータを、
ページ識別情報を選択する選択部と、
前記選択部により選択された前記ページ識別情報により識別されるページから順に遷移される１または複数のページを遷移順に識別するためのリストをサーバから取得する取得部と、
前記取得部により取得された前記リストにより識別される前記１または複数のページの各々に関する情報を表示するよう制御する表示制御部と、
を備える、情報処理装置として機能させるためのプログラム。
（１２）
情報処理装置により選択されたページ識別情報を前記情報処理装置から取得する取得部と、
前記取得部により取得された前記ページ識別情報により識別されるページから順に遷移される１または複数のページを遷移順に識別するためのリストを検索する検索部と、
前記検索部により検索された前記リストを前記情報処理装置に通知する通知部と、
を備える、サーバ。
（１３）
情報処理装置により選択されたページ識別情報を前記情報処理装置から取得することと、
取得された前記ページ識別情報により識別されるページから順に遷移される１または複数のページを遷移順に識別するためのリストを検索することと、
検索された前記リストを前記情報処理装置に通知することと、
を含む、情報処理方法。
（１４）
コンピュータを、
情報処理装置により選択されたページ識別情報を前記情報処理装置から取得する取得部と、
前記取得部により取得された前記ページ識別情報により識別されるページから順に遷移される１または複数のページを遷移順に識別するためのリストを検索する検索部と、
前記検索部により検索された前記リストを前記情報処理装置に通知する通知部と、
を備える、サーバとして機能させるためのプログラム。
（１５）
サーバと、情報処理装置と、を有する情報処理システムであって、
前記サーバは、
選択されたページ識別情報を前記情報処理装置から取得する取得部と、
前記取得部により取得された前記ページ識別情報により識別されるページから順に遷移される１または複数のページを遷移順に識別するためのリストを検索する検索部と、
前記検索部により検索された前記リストを前記情報処理装置に通知する通知部と、
を備え、
前記情報処理装置は、
前記リストを前記サーバから取得する取得部と、
前記取得部により取得された前記リストにより識別される前記１または複数のページの各々に関する情報を表示するよう制御する表示制御部と、
を備える、情報処理システム。
【符号の説明】
【００８２】
１０    情報処理システム
１００  端末
１１０  入力部
１２０  制御部
１２１１  ページ取得部
１２１２  ページ遷移部
１２１３  表示制御部
１２１４  送信制御部
１２１６  検出部
１２１７  選択部
１２１８  取得部
１２１９  決定部
１２２０  表示制御部
１３０  記憶部
１４０  表示部
１５０  通信部
２００  サーバ
２２０  制御部
２２１  情報取得部
２２２  記憶制御部
２２３  取得部
２２４  検索部
２２５  通知部
２５０  通信部
２６０  記憶部
２６１  リスト
２６２  統計情報
３００  検索サーバ
【図１】
2012221107.tif 000003
【図２】
2012221107.tif 000004
【図３】
2012221107.tif 000005
【図４】
2012221107.tif 000006
【図５】
2012221107.tif 000007
【図６】
2012221107.tif 000008
【図７】
2012221107.tif 000009
【図８】
2012221107.tif 000010
【図９】
2012221107.tif 000011
【図１０】
2012221107.tif 000012
【図１１】
2012221107.tif 000013
【図１２】
2012221107.tif 000014